(57)【特許請求の範囲】
【請求項１】
内容物としての剤をそれぞれ収容する外容器と内容器を有し、外容器の中に内容器を納め、外容器と内容器を単一の結合部材により結合し、
前記結合部材は、外側筒部、中間筒部、内側筒部を同軸に有し、外側筒部は外容器の開口部に結合され、内側筒部は内容器の開口部に結合され、中間筒部は外側筒部と内側筒部の環状間隔内に配置され、外側筒部の上端部と中間筒部の上端部とをつなぎ、かつ中間筒部の下端部と内側筒部の下端部とをつないでなり、中間筒部の内周と内側筒部の外周に挟まれて区画される陥凹部の底部に設けた連通孔を外容器と連通する充填用開口とし、内容器の開口と同軸の内側筒部の一端開口を内容器への充填用開口とし、
内容器から剤を吐出する内吐出口を備える内側ノズル部を、外容器から剤を吐出する外吐出口を備える外側ノズル部の内側に一体に備えるノズル体を有し、ノズル体における外側ノズル部の外周側に、該外側ノズル部の下端部から立上って結合部材が有する外側筒部に嵌合されて着脱される打ち込み筒部を備え、打ち込み筒部が備える外側シール部を結合部材が有する外側筒部のシール部に密着させてなり、
結合部材が有する外側筒部にノズル体が備える打ち込み筒部を取着した状態で、内側ノズル部が備える内吐出口の下端シール部を、結合部材が有する内側筒部のシール部に密着させてなる容器。
【請求項２】
前記結合部材が有する外側筒部に着脱されるノズル体の周囲に有天筒状の計量キャップを着脱可能にし、計量キャップの天井裏側に、ノズル体の内側ノズル部が備える内吐出口と外側ノズル部が備える外吐出口のそれぞれに封着するシール部を備える請求項１に記載の容器。
【請求項３】
前記ノズル体の外側ノズル部の外周側下部に、打ち込み筒部の内周と外側ノズル部の外周に挟まれて区画される剤回収部を設けてなる請求項１又は２に記載の容器。
【請求項４】
前記結合部材が有する外側筒部に着脱されるノズル体の打ち込み筒部に結合されて外側ノズル部の周囲に立上り、前記剤回収部を外側ノズル部の周囲で外界に対して仕切る仕切部材を設け、
仕切部材の周囲に計量キャップを着脱可能に設け、仕切部材の外周側に計量キャップの残液を導入する剤導入凹部を備え、該剤導入凹部が剤回収部に連通する連通口を備えてなる請求項３に記載の容器。
【請求項５】
前記容器の注ぎ出し方向を知らしめる手段を有し、前記仕切部材の剤導入凹部の連通口を該仕切部材の周方向のうちで外吐出口を挟んで前記注ぎ出し方向を知らしめる手段が示す方向部位とは反対側に位置する部位に備え、
前記剤回収部に連続する仕切部材による副吐出口を前記剤導入凹部より立上げ形成してなる請求項４に記載の容器。
【請求項６】
前記外容器と内容器の少なくとも一方の内容物としての剤が界面活性剤を含有する請求項１〜５のいずれかに記載の容器。
【発明の詳細な説明】
【技術分野】
【０００１】
本発明は、液体、粉体等の剤を吐出させる容器に関する。
【背景技術】
【０００２】
従来、外容器の中に内容器を納めた容器では、外容器に結合した外ノズルと、内容器に結合した内ノズルとを互いに嵌合している。
【発明の開示】
【発明が解決しようとする課題】
【０００３】
(a)外容器と内容器が、それらの各々に結合された外ノズルと内ノズルの嵌合を介して組立てられており、外ノズルと内ノズルの嵌合力が弱いと、輸送中又は使用中に両ノズルの嵌合が外れて２分し、内容器が外容器から脱落する。
【０００４】
(b)外容器と内容器への剤の充填を、それらの容器へのノズルの結合前に、従って外容器と内容器の組立前に行なう必要がある。外容器と内容器への剤の充填をそれらの組立状態で行なうことができない。
【０００５】
(c)容器の廃棄形態は、外容器と内容器にそれらのノズルを結合した当初からの組立状態のままであり、廃棄部品量が過多である。
【０００６】
本発明の課題は、外容器に内容器を結合した容器において、内容器の脱落を防ぐこと、外容器と内容器への剤の充填をそれらの組立状態で行なうこと、廃棄部品量を削減することにある。
【課題を解決するための手段】
【０００７】
請求項１に係る容器は、内容物としての剤をそれぞれ収容する外容器と内容器を有し、外容器の中に内容器を納め、外容器と内容器を単一の結合部材により結合し、前記結合部材は、外側筒部、中間筒部、内側筒部を同軸に有し、外側筒部は外容器の開口部に結合され、内側筒部は内容器の開口部に結合され、中間筒部は外側筒部と内側筒部の環状間隔内に配置され、外側筒部の上端部と中間筒部の上端部とをつなぎ、かつ中間筒部の下端部と内側筒部の下端部とをつないでなり、中間筒部の内周と内側筒部の外周に挟まれて区画される陥凹部の底部に設けた連通孔を外容器と連通する充填用開口とし、内容器の開口と同軸の内側筒部の一端開口を内容器への充填用開口とし、内容器から剤を吐出する内吐出口を備える内側ノズル部を、外容器から剤を吐出する外吐出口を備える外側ノズル部の内側に一体に備えるノズル体を有し、ノズル体における外側ノズル部の外周側に、該外側ノズル部の下端部から立上って結合部材が有する外側筒部に嵌合されて着脱される打ち込み筒部を備え、打ち込み筒部が備える外側シール部を結合部材が有する外側筒部のシール部に密着させてなり、結合部材が有する外側筒部にノズル体が備える打ち込み筒部を取着した状態で、内側ノズル部が備える内吐出口の下端シール部を、結合部材が有する内側筒部のシール部に密着させてなるものである。
【発明を実施するための最良の形態】
【０００８】
図１は第１実施形態の容器を示す模式図、図２は第１実施形態の容器の要部拡大断面図、図３は容器への充填状態を示す模式図、図４はノズル体の容器への取付状態を示す模式図、図５は閉塞体の容器への取付状態を示す模式図、図６は閉塞体の他の容器への取付状態を示す模式図、図７は第２実施形態の容器の要部拡大断面図である。
【実施例】
【０００９】
（第１実施形態）（図１〜図６）
容器１０は、混ざると反応するような性質の異なる２剤Ａ、Ｂの少なくとも一方の剤Ａ（又はＢ）が界面活性剤を含有する２剤Ａ、Ｂ（例えば界面活性剤を含有する洗剤又はアルカリ剤、界面活性剤を含有する酸素系漂白剤）を同時に吐出させる２剤吐出容器である。容器１０は図１に示す如く、一端開口の外容器１１の中に一端開口の内容器２１を納め、外容器１１と内容器２１を単一の結合部材３０により結合している。即ち、外容器１１の開口部の打ち込み部１１Ａには結合部材３０の打ち込み部３１が打ち込み結合して封着し、内容器２１の開口部のねじ部２１Ａには結合部材３０の内周ねじ部３２がねじ込み結合して封着している。
【００１０】
容器１０は、図１、図２に示す如く、結合部材３０にノズル体４０を外周環状着脱部によって着脱可能としている。ノズル体４０は、外容器１１からの剤を結合部材３０に設けた連通孔３５経由で細流化して吐出するラッパ状外吐出口４１と、内容器２１からの剤を細流化して吐出するラッパ状内吐出口４２とを備える一体成形品である。ノズル体４０は、外吐出口４１と同軸をなす外周環状着脱部としてのねじ部４３を結合部材３０の外周ねじ部（嵌合部）３３にねじ込み結合して該結合部材３０に液密に着脱可能とするとともに、ねじ部４３に相対する外側シール部４４Ａを結合部材３０の外周シール部３４Ａに液密に密着可能とし、更に、内吐出口４２の下端シール部４４Ｂを結合部材３０の内周シール部３４Ｂに液密に密着可能とする。
【００１１】
容器１０は、ノズル体４０のねじ部４３に対する内周側に設けた打ち込み部４５に、仕切部材５０の打ち込み部５１を打ち込み結合して一体に備える。
【００１２】
容器１０は、ノズル体４０に上述の如くに一体にした仕切部材５０のねじ部５２に計量キャップ６０のねじ部６１を着脱可能にねじ込み結合している。そして、外容器１１と内容器２１は互いに性質の異なる２剤Ａ、Ｂのそれぞれを装填され、容器１０の傾動により、それらの剤Ａ、Ｂをノズル体４０の外吐出口４１と内吐出口４２から同時に吐出させ、計量キャップ６０にて混ぜ合せできる。
【００１３】
容器１０は、ノズル体４０に剤回収手段７０を設けている。剤回収手段７０にあっては、ノズル体４０の外吐出口４１から打ち込み部４５につながる部分を凹状の剤回収部７１とし、結合部材３０の内周ねじ部３２から外周ねじ部３３につながる陥凹部３６にこの剤回収部７１を差し込み配置している。ノズル体４０の外吐出口４１と内吐出口４２から液ダレした液は剤回収部７１に回収される。仕切部材５０は、前述の如くノズル体４０に結合されて外容器１１、内容器２１の吐出口４１、４２と剤回収部７１の外周に設けられる。仕切部材５０は、計量キャップ６０や吐出口４１、４２から垂れ落ちる剤を導入するための環状の剤導入凹部５３を外周に備えるとともに、剤導入凹部５３を孔状又はスリット状の連通口５４により内周側の剤回収部７０に連通可能にし、この連通口５４を該仕切部材５０の周方向のうちで吐出口４１、４２を挟んで容器１０の注ぎ出し方向側部位（吐出口４１、４２の注ぎ出し方向側部位）とは反対側に位置する部位に備え、内周側の剤回収部７０に連なる環状の副吐出口５５を剤導入凹部５３より上に立上げ形成されている。尚、容器１０は、外容器１１の外面の反注ぎ出し方向側にこの方向を示す取手等の把持部を設ける等により、該容器１０の注ぎ出し方向を使用者に知らしめる手段としている。仕切部材５０に設けた連通口５４の位置を、反注ぎ出し方向側とみて、容器１０の注ぎ出し方向側を知るものでも良い。
【００１４】
外容器１１、内容器２１、結合部材３０、ノズル体４０、仕切部材５０、計量キャップ６０は樹脂成形品からなる。
【００１５】
結合部材３０は、外側筒部３０Ａ、中間筒部３０Ｂ、内側筒部３０Ｃを同軸に有する筒体とされ、外側筒部３０Ａに外容器１１（打ち込み部１１Ａ）への打ち込み部３１、ノズル体４０（外周環状着脱部であるねじ部４３）との外周ねじ部３３、ノズル体４０（外側シール部４４Ａ）との外周シール部３４Ａを備え、内側筒部３０Ｃに内容器２１（ねじ部２１Ａ）へのねじ部３２、ノズル体４０（下端シール部４４Ｂ）との内周シール部３４Ｂを備え、中間筒部３０Ｂと内側筒部３０Ｃにより陥凹部３６を形成し、陥凹部３６の底部に連通孔３５を形成している。陥凹部３６の底部には補強リブ３７が設けられる。
【００１６】
ノズル体４０は、ねじ込み筒部４０Ａ、打ち込み筒部４０Ｂ、外側ノズル部４０Ｃ、内側ノズル部４０Ｄを同軸に有する筒体とされ、ねじ込み筒部４０Ａには結合部材３０（外周ねじ部３３）へのねじ部４３、打ち込み筒部４０Ｂには結合部材３０（外周シール部３４Ａ）との外側シール部４４Ａ、仕切部材５０（打ち込み部５１）との打ち込み部４５、外側ノズル部４０Ｃには外吐出口４１、内側ノズル部４０Ｄには内吐出口４２と下端シール部４４Ｂを備え、打ち込み筒部４０Ｂと外側ノズル部４０Ｃにより剤回収部７１を形成している。外側ノズル部４０Ｃと内側ノズル部４０Ｄの間には外吐出口４１のための流通ガイド４６が設けられ、内側ノズル部４０Ｄの内部には内吐出口４２のための流通ガイド４７が設けられる。
【００１７】
仕切部材５０は、打ち込み筒部５０Ａ、副吐出用筒部５０Ｂを同軸に有する筒体とされ、打ち込み筒部５０Ａにはノズル体４０（打ち込み部４５）への打ち込み部５１、副吐出用筒部５０Ｂには計量キャップ６０（ねじ部６１）とのねじ部５２と副吐出口５５を備える。仕切部材５０は、打ち込み筒部５０Ａに計量キャップ６０が封着される環状シール部５６を備え、環状シール部５６の内側に前述の剤導入凹部５３を形成し、環状シール部５６の外側に結合部材３０に封着されるフランジ部５７を備える。
【００１８】
計量キャップ６０は、有天筒状をなし、基端外周に仕切部材５０の環状シール部５６に封止する外周シール部６２を備える。計量キャップ６０は、天井裏側に、仕切部材５０のねじ部５２に螺着するねじ部６１を備えるとともに、ノズル体４０の吐出口４１、４２にそれぞれ封着するシール部６４、６５を備える。
【００１９】
ここで、容器１０のノズル体４０は、吐出口４１、４２を前述の如くの筒状体とし、それらの中心軸を同心状に配置している。外吐出口４１と内吐出口４２の環状間隙が外容器１１の剤Ａのための流路となる。
【００２０】
また、容器１０のノズル体４０は、内吐出口４２を軸方向で外吐出口４１より外方に突出させ、外吐出口４１と内吐出口４２のそれぞれを外方に開くラッパ形状としている。
【００２１】
また、容器１０は、外容器１１と内容器２１も筒体とし、それらのノズル体の中心軸を同心状に配置している。
【００２２】
容器１０は以下の如くに組立てられる。
(1)外容器１１と内容器２１を結合部材３０により結合する（図１）。
【００２３】
(2)外容器１１と内容器２１の上述(1)による組立体に内容物を充填する。内容器２１に剤Ｂを充填し（図３（１））、外容器１１に剤Ａを充填する（図３（２））。
【００２４】
(3)上述(2)の結合部材３０に、ノズル体４０と仕切部材５０と計量キャップ６０の組立体（又は後述する閉塞蓋８０）を組付けて製品容器１０とする（図４）。
【００２５】
更に、容器１０は、図１、図５に示す如く、結合部材３０に閉塞蓋８０を着脱可能とする。閉塞蓋８０は、有天筒状をなし、基端内周に結合部材３０（外周ねじ部３３）へのねじ部８１を備え、天井裏側に結合部材３０（外側筒部３０Ａの外周シール部３４Ａ）とのシール部８２、結合部材３０（内側筒部３０Ｃの内周シール部３４Ｂ）とのシール部８３を備える。
【００２６】
従って、容器１０にあっては、外容器１１と内容器２１に剤Ａ、Ｂを充填した製造段階で閉塞蓋８０を結合部材３０に結合したものを物流形態（図５）とし、使用段階で閉塞蓋８０を外してノズル体４０（仕切部材５０、計量キャップ６０）の組立体を結合部材３０に付け替えたものを使用形態（図４）とすることができる。更に、容器１０の使用後の廃棄段階では、ノズル体４０（仕切部材５０、計量キャップ６０）の組立体を外して閉塞蓋８０を結合部材３０に付け替えたものを廃棄形態（図５と同じ）とし、外したノズル体４０（仕切部材５０、計量キャップ６０）の組立体は新規の容器１０への再利用品とする。
【００２７】
尚、閉塞蓋８０は他品種の１回の開封で使い切り、計量を要しない容器１０Ａに用いることもできる（図６）。
【００２８】
本実施形態によれば以下の作用がある。
(a)外容器１１と内容器１２を単一の結合部材３０により結合したものであり、結合部材３０が２分することがないから、外容器１１と内容器２１が結合部材３０の２分によって分離することがなく、内容器２１の脱落を防止できる。
【００２９】
(b)外容器１１と内容器２１を結合部材３０により組立てた状態で、ノズル体４０を未だ組付けない段階では、外容器１１と内容器２１を組立てた状態にしながら、外容器１１と内容器２１のそれぞれにノズル体４０のない大きな充填用開口を確保でき、それらの各容器１１、２１への剤の充填をそれらの組立状態で行なうことができる。従って、充填の生産性を向上できる。
【００３０】
(c)ノズル体４０を結合部材３０に着脱できるようにしたから、容器１０の廃棄を該容器１０からノズル体４０、仕切部材５０、計量キャップ６０を外して行なうことが容易となり、ノズル体４０、仕切部材５０、計量キャップ６０を再利用品とすることができる。
【００３１】
(d)計量キャップ６０に残った前回計量時の残液を、剤回収手段７０によって回収できる。
【００３２】
(e)計量キャップ６０に残った前回計量時の残液は、計量キャップ６０から仕切部材５０の外周側の剤導入凹部５３に導入され、連通口５４を通って剤回収部７１に回収される。容器１０の次回使用時に、容器１０を傾けると、剤回収部７１１に溜まった回収剤は仕切部材５０の内面を伝わって副吐出口５５から吐出される。副吐出口５５は立上り形成されているから、容器１０の傾け角が0度〜5度の如くに浅くても、回収剤を周辺に垂れ流して汚すことなく目的部位に向けて、吐出口４１、４２からの吐出剤Ａ、Ｂとともに注ぎ出せる。
【００３３】
(f)尚、仕切部材５０の外周側から内周側に連通している連通口５４は、吐出口４１、４２を挟んで容器１０の注ぎ出し方向側部位の反対側部位に位置しており、容器１０を注ぎ出し方向に傾けたとき、剤回収部７１に溜まった回収剤が上記連通口５４を通って仕切部材５０の外面側に洩れ出ることがない。
【００３４】
(g)容器１０の内容物Ａ、Ｂが界面活性剤を含有するとき、剤導入凹部５３から導入されて剤回収部７１に回収された回収剤の界面活性剤を周辺に垂れ流して汚すことなく、目的部位に向けて、吐出口４１、４２からの吐出剤Ａ、Ｂとともに注ぎ出せる。
【００３５】
（その他の作用）
(h)ノズル体４０が外吐出口４１と内吐出口４２を備える一体成形品からなるから、ノズル体４０を単一部品化し、容器１０の組立の生産性を向上できる。
【００３６】
(i)容器１０の結合部材３０に閉塞蓋８０とノズル体４０とを付け替えできるようにしたから、容器１０の物流段階、廃棄段階では閉塞蓋８０を用い、使用段階では、ノズル体４０、仕切部材５０、計量キャップ６０の組立体を用いることで、複雑で高価なノズル体４０等を使用者において繰り返し再利用できる。
【００３７】
（第２実施形態）（図７）
第２実施形態の容器１０が第１実施形態の容器１０と異なる点は、結合部材３０へのノズル体４０、仕切部材５０の着脱構造にある。
【００３８】
第２実施形態の容器１０では、ノズル体４０のねじ込み筒部４０Ａを除去し、ノズル体４０の打ち込み筒部４０Ｂに仕切部材５０の打ち込み筒部５０Ａを打ち込み結合して両者を一体化した後、仕切部材５０における打ち込み筒部５０Ａの周囲に新たに設けたねじ込み筒部５０Ｃを結合部材３０の外周ねじ部３３へねじ込み結合して該結合部材３０に液密に着脱可能とした。
【図面の簡単な説明】
【００３９】
【図１】図１は第１実施形態の容器を示す模式図である。
【図２】図２は第１実施形態の容器の要部拡大断面図である。
【図３】図３は容器への充填状態を示す模式図である。
【図４】図４はノズル体の容器への取付状態を示す模式図である。
【図５】図５は閉塞体の容器への取付状態を示す模式図である。
【図６】図６は閉塞体の他の容器への取付状態を示す模式図である。
【図７】図７は第２実施形態の容器の要部拡大断面図である。
【符号の説明】
【００４０】
１０  容器
１１  外容器
２１  内容器
３０  結合部材
３０Ａ  外側筒部
３０Ｂ  中間筒部
３０Ｃ  内側筒部
３４Ａ  外周シール部
３４Ｂ  内周シール部
３５  連通孔
３６  陥凹部
４０  ノズル体
４０Ｂ  打ち込み筒部
４０Ｃ  外側ノズル部
４０Ｄ  内側ノズル部
４１  外吐出口
４２  内吐出口
４４Ｂ  下端シール部
５０  仕切部材
５３  剤導入凹部
５４  連通口
５５  副吐出口
６０  計量キャップ
６４、６５  シール部
７０  剤回収手段
７１  剤回収部
【図１】
0004733081.tif 000002
【図２】
0004733081.tif 000003
【図３】
0004733081.tif 000004
【図４】
0004733081.tif 000005
【図５】
0004733081.tif 000006
【図６】
0004733081.tif 000007
【図７】
0004733081.tif 000008